(57)【要約】　　　（修正有）【課題】回動つまみを回動させることにより信号レベルを変化させ、当該回動つまみ部を押圧することによって電源をオン・オフする電子機器において、予め定めた信号レベルの位置においてのみ電源のオン・オフを可能とする電子機器を提供する。【解決手段】本体の表面に固定されるパネル５と、シャフト４０１の回動により内部の可変抵抗器の抵抗値を変化させ当該シャフトが軸方向へ移動することにより電力の供給をオン・オフするスイッチおよびボリウム部４と、貫通する貫通孔３０３を備えシャフトに固定され回動する回動つまみ部３と、回動つまみ部と前記スイッチおよびボリウム部との間に設置されシャフトに挿入される孔を有する円筒部１２とを備え、回動つまみ部は、円筒部と対向する面に突出する凸部１０１を備える透過部材１を前記貫通孔に固定し、円筒部は、前記凸部と嵌合し円筒部の表面の色と異なる色の凹部１２２を回動つまみ部と対向する面に備える。【選択図】　　　図５
2004119323.tif 000002
【特許請求の範囲】
【請求項１】
箱形を成す本体と、前記本体の表面に固定されるパネルと、前記パネルの内側に設置され回動可能なシャフトを備え当該シャフトの回動により内部の可変抵抗器の抵抗値を変化させ当該シャフトが軸方向へ移動することにより電力の供給をオン・オフするスイッチおよびボリウム部と、貫通する貫通孔を備え前記シャフトに固定され回動する回動つまみ部と、前記回動つまみ部と前記スイッチおよびボリウム部との間に設置され前記シャフトに挿入される孔を有する円筒部とを備え、
前記回動つまみ部は、前記円筒部と対向する面に突出する凸部を備える透過部材を前記貫通孔に固定し、
前記円筒部は、前記凸部と嵌合し前記円筒部の表面の色と異なる色の凹部を前記回動つまみ部と対向する面に備えることを特徴とする電子機器。
【発明の詳細な説明】
【０００１】
【発明の属する技術分野】
本発明は、オーディオ信号を増幅するオーディオ信号増幅装置や光ディスクを再生する再生装置等の電子機器に関する。
【０００２】
【従来の技術】
従来の電子機器として、オーディオ信号増幅装置を例に挙げ説明する。
従来のオーディオ信号増幅装置は、箱型を成し、内部に入力部、スイッチおよびボリウム部、出力部、増幅部及び電源部を備える。オーディオ信号増幅装置は、再生装置及びスピーカと接続されている。電源部は、入力部、スイッチおよびボリウム部、出力部及び増幅部へ電力を供給する。
【０００３】
再生装置は、光ディスクに記録されているオーディオデータを再生し、オーディオ信号を出力する。入力部は、再生装置から出力されたオーディオ信号を入力し、増幅部へ出力する。増幅部は、入力部から出力されたオーディオ信号を増幅し、スイッチおよびボリウム部へ出力する。
【０００４】
スイッチおよびボリウム部は、後述する回動つまみ部を回動させることにより、増幅部から出力されたオーディオ信号の信号レベルを増減させ、出力部へ出力する。出力部は、オーディオ信号をスピーカへ出力する（例えば、特許文献１参照。）。
【０００５】
スイッチおよびボリウム部は、後述する回動つまみ部を押圧することにより、オーディオ信号増幅装置内部の入力部、スイッチおよびボリウム部、出力部及び増幅部への電源部からの電力の供給をオン・オフする。
【０００６】
以上の構成により、オーディオ信号増幅装置は、再生装置から出力されたオーディオ信号を増幅し、スピーカへ出力する。
【０００７】
図７は、従来のオーディオ信号増幅装置の回動つまみとスイッチおよびボリウム部との組み付けを示す図で、図７（ａ）は正面図、図７（ｂ）は断面図である。スイッチおよびボリウム部４は、パネル５に固着されており、パネル５は図示しないオーディオ信号増幅装置の前面に固着されている。
【０００８】
スイッチおよびボリウム部４は、パネル５の裏面に固着されている。スイッチおよびボリウム部４は、断面がＤ型の回動可能なシャフト４０１を備える。シャフト４０１は、パネル５に設けた孔５０１からパネル５の表面に突出している。
【０００９】
スイッチおよびボリウム部４は、シャフト４０１の回動によりスイッチおよびボリウム部４の内部の可変抵抗器の抵抗値が変化し、増幅部から出力されるオーディオ信号のレベルを増減する。
【００１０】
スイッチおよびボリウム部４のシャフト４０１は、図７（ｂ）に示す矢印Ａ方向へ押圧されることによって矢印Ａ方向へ移動し、押圧が解除されると押圧前の位置へ移動する。スイッチおよびボリウム部４は、シャフト４０１が押圧され矢印Ａ方向に移動したことを検知し、信号を出力する。電源部は、スイッチおよびボリウム部４から信号が出力されることにより、入力部、スイッチおよびボリウム部、出力部及び増幅部への電力の供給をオン・オフする。
【００１１】
回動つまみ部３００は、円筒形を成し、略中心に貫通しない断面がＤ型のシャフト圧入孔３０１を備える。回動つまみ部３００のシャフト圧入孔３０１の内径ｄ３０１は、スイッチおよびボリウム部４のシャフト４０１の外径ｄ４０１よりも小さい。
【００１２】
回動つまみ部３００のシャフト圧入孔３０１へスイッチおよびボリウム部４のシャフト４０１を圧入することにより、回動つまみ部３００はシャフト４０１により保持された状態となる。したがって、回動つまみ部３００を回動させることによりシャフト４０１が回動し、増幅部から出力されたオーディオ信号のレベルが増減する。
【００１３】
また、図７（ｂ）に示すように、回動つまみ部３００を矢印Ａ方向へ押圧することによりシャフト４０１が矢印Ａ方向へ移動し、入力部、スイッチおよびボリウム部、出力部及び増幅部への電源部からの電力の供給をオン・オフする。
【００１４】
以上のように、従来のオーディオ信号増幅装置は、回動つまみ部３００を回動させることにより増幅部から出力されたオーディオ信号の信号レベルを増減し、回動つまみ部３００を後方へ押圧することによって入力部、スイッチおよびボリウム部、出力部及び増幅部への電力の供給をオン・オフすることができる。
【００１５】
【特許文献１】
特開平１０−１４９７４６号公報
【００１６】
【発明が解決しようとする課題】
従来のオーディオ信号増幅装置は、電源がオフの状態のときに、誤って回動つまみ３００を回動してしまうことがある。例えば、増幅部から出力させるオーディオ信号の増幅レベルが最大となる角度に回動つまみ３００を回転させた状態で、誤って回動つまみ３００を押圧し、電源部１１の電源の供給をオンにしてしまうと、オーディオ信号が最大のレベルで出力部から出力されてしまい、出力部からのオーディオ信号を出力するスピーカを破損する虞がある。
【００１７】
本発明は、回動つまみを回動させることにより信号レベルを変化させ、当該回動つまみ部を押圧することによって電源をオン・オフする電子機器において、予め定めた信号レベルの位置においてのみ電源のオン・オフを可能とする電子機器を提供することを目的とする。
【００１８】
【課題を解決するための手段】
本願の請求項１記載の発明は、前記本体の表面に固定されるパネルと、前記パネルの内側に設置され回動可能なシャフトを備え当該シャフトの回動により内部の可変抵抗器の抵抗値を変化させ当該シャフトが軸方向へ移動することにより電力の供給をオン・オフするスイッチおよびボリウム部と、貫通する貫通孔を備え前記シャフトに固定され回動する回動つまみ部と、前記回動つまみ部と前記スイッチおよびボリウム部との間に設置され前記シャフトに挿入される孔を有する円筒部とを備え、前記回動つまみ部は、前記円筒部と対向する面に突出する凸部を備える透過部材を前記貫通孔に固定し、前記円筒部は、前記凸部と嵌合し前記円筒部の表面の色と異なる色の凹部を前記回動つまみ部と対向する面に備えることを特徴とする。
【００１９】
【発明の実施の形態】
本発明の実施の形態を図面を参照して説明する。なお、従来技術で示した構成要素と同一の部分については同符号を用いる。
【００２０】
図１は、本発明の電子機器の一実施例の構成を示すブロック図である。
本実施例においては、電子機器としてオーディオ信号増幅装置を例に挙げ説明する。
【００２１】
オーディオ信号増幅装置６は、入力部２、スイッチおよびボリウム部４、出力部７、増幅部８及び電源部１１を備える。オーディオ信号増幅装置６は、再生装置１０及びスピーカ９と接続されている。電源部１１は、入力部２、スイッチおよびボリウム部４、出力部７及び増幅部８へ電力を供給する。
【００２２】
再生装置１０は、光ディスクに記録されているオーディオデータを再生し、オーディオ信号を出力する。入力部２は、再生装置１０から出力されたオーディオ信号を入力し、増幅部８へ出力する。増幅部８は、入力部２から出力されたオーディオ信号を増幅し、スイッチおよびボリウム部４へ出力する。
【００２３】
スイッチおよびボリウム部４は、後述する回動つまみ部を回動させることにより、増幅部８から出力されたオーディオ信号の信号レベルを増減させ、出力部７へ出力する。出力部７は、オーディオ信号をスピーカ９へ出力する。
【００２４】
スイッチおよびボリウム部４は、後述する回動つまみ部が押圧されることにより、電源部１１へ信号を出力する。電源部１１は、スイッチおよびボリウム部４から信号が出力されることにより、入力部２、スイッチおよびボリウム部４、出力部７及び増幅部８への電力の供給をオン・オフする。
【００２５】
以上の構成により、オーディオ信号増幅装置６は、再生装置１０から出力されたオーディオ信号を増幅し、スピーカ９へ出力する。
【００２６】
図２は、本発明の一実施例のオーディオ信号増幅装置の概略構成を示す斜視図である。
オーディオ信号増幅装置６は、回動つまみ部３、パネル５及び円筒部１２を備える。パネル５は、オーディオ信号増幅装置６の本体の前面に固着されている。スイッチおよびボリウム部４は、パネル５の裏面に固着されている。
【００２７】
スイッチおよびボリウム部４は、断面がＤ型の回動可能なシャフト４０１を備える。シャフト４０１は、パネル５に設けた孔５０１からパネル５の表面に突出している。
【００２８】
スイッチおよびボリウム部４は、シャフト４０１の回動によりスイッチおよびボリウム部４の内部の可変抵抗器の抵抗値が変化し、増幅部８から出力されるオーディオ信号のレベルを増減する。
【００２９】
スイッチおよびボリウム部４のシャフト４０１は、押圧されることによって軸方向へ移動し、押圧が解除されると押圧前の位置へ移動する。スイッチおよびボリウム部４は、シャフト４０１が押圧され軸方向に移動したことを検知し、信号を出力する。電源部１１は、スイッチおよびボリウム部４から信号が出力されることにより、入力部２、スイッチおよびボリウム部４、出力部７及び増幅部８への電力の供給をオン・オフする。
【００３０】
円筒部１２は、円筒型を成し、略中心に貫通する孔１２１を備える。円筒部１２は、スイッチおよびボリウム部４のシャフト４０１が孔１２１へ挿入され、スイッチおよびボリウム部４に固着される。
【００３１】
回動つまみ部３は、円筒型を成し、略中心に貫通しないシャフト圧入孔３０１を備える。回動つまみ部３は、スイッチおよびボリウム部４のシャフト４０１がシャフト圧入孔３０１へ圧入されることにより、シャフト４０１に保持される。
【００３２】
回動つまみ部３を回動させることにより、シャフト４０１へ回動力が伝達され、シャフト４０１は回動し、スイッチおよびボリウム部４の抵抗値が変化する。また、回動つまみ部３をシャフト４０１の軸方向へ押圧することにより、シャフト４０１が軸方向へ移動し、入力部２、スイッチおよびボリウム部４、出力部７及び増幅部８への電力の供給をオン・オフする。
【００３３】
図３は、本発明の一実施例のオーディオ信号増幅装置の回動つまみ部を示す図であり、図３（ａ）は回動つまみ部の背面図、図３（ｂ）は図３（ａ）のＢ−Ｂ断面図である。
【００３４】
回動つまみ部３は、略円筒型を成し、略中心に貫通しない断面がＤ型のシャフト圧入孔３０１と、シャフト圧入孔３０１と異なる位置に貫通する貫通孔３０３を備える。貫通孔３０３には、透過部材１が挿入され接着剤により固定されている。透過部材１は、透明なアクリル樹脂から成り、回動つまみ部３の背面から突出する凸部１０１を備える。
【００３５】
図４は、本発明の一実施例のオーディオ信号増幅装置の円筒部を示す図であり、図４（ａ）は正面図、図４（ｂ）は図４（ａ）のＣ−Ｃ断面図である。
円筒部１２は、表面の色が赤色を成す略円筒型を形成し、略中心に貫通する孔１２１を備える。孔１２１の内径は、シャフト４０１の外径よりも大きい。孔１２１は、前面に凹部１２２を備える。凹部１２２は、底面に青色の塗装が施された塗膜１２３を備える。
【００３６】
図５は、本発明の一実施例の回動つまみ部、スイッチおよびボリウム部並びに円筒部との組み付けを示す模式図で、図５（ａ）は正面図、図５（ｂ）は図５（ａ）のＤ−Ｄ断面図である。
【００３７】
回動つまみ部３に固定された透過部材１の凸部１０１は、スイッチおよびボリウム部４のシャフト４０１を中心に円筒部１２の凹部１２２と同心円上となる位置に配置されている。凸部１０１の外径は、凹部１２２の側壁間の長さよりも小さい。円筒部１２は、回動つまみ部３の凸部３０２の背面と前面が近接する位置となるようにスイッチおよびボリウム部４に固着している。
【００３８】
回動つまみ部３は、シャフト４０１を中心に回動し、回動つまみ部３が回動することにより、シャフト４０１は回動し、スイッチおよびボリウム部４の抵抗値が変化する。図５に示すように、透過部材１の凸部１０１が円筒部１２の凹部１２２と対向しない位置のとき、使用者は、透過部材１を介して、円筒部１２の表面の色である赤色を視認することができる。また、このとき、回動つまみ部３を矢印Ａ方向へ押圧すると、凸部１０１の背面が円筒部１２の前面に当接する。よって、回動つまみ部３を矢印Ａ方向へ押圧しても、シャフト４０１は矢印Ａ方向へ移動しない。
【００３９】
図６は、図５に示す状態から回動つまみ部を回動し、凸部が円筒部の凹部と対向する位置とした状態を示す図で、図６（ａ）は正面図、図６（ｂ）は図６（ａ）のＤ−Ｄ断面図、図６（ｃ）は図６（ａ）及び図６（ｂ）の状態のときに回動つまみ部３を矢印Ａ方向へ押圧した状態を示す図である。
【００４０】
図６（ａ）及び図６（ｂ）に示すように、透過部材１の凸部１０１が円筒部１２の凹部１２２と対向する位置のとき、使用者は、透過部材１を介して、凹部１２２の底面に備える塗膜１２３の色である青色を視認することができる。また、このとき、図６（ｃ）に示すように、回動つまみ部３を矢印Ａ方向へ押圧すると、透過部材１の凸部１０１が円筒部１２の凹部１２２に嵌合し、回動つまみ部３は矢印Ａ方向へ移動し、回動つまみ部３と同様にシャフト４０１も矢印Ａ方向へ移動する。
【００４１】
以上の構成により、本実施例のオーディオ信号増幅装置６の回動つまみ部３を回動させ、回動つまみ部３に固定された透過部材１の凸部１０１が円筒部１２の凹部１２２と対向する位置以外の位置にあるときは、使用者は透過部材１の前面から円筒部１２の表面色である赤色を視認することができ、このとき、回動つまみ部３を押圧してもシャフト４０１は軸方向へ移動しないので、入力部２、スイッチおよびボリウム部４、出力部７及び増幅部８への電力の供給がオンされることを防止することができる。透過部材１の凸部１０１が円筒部１２の凹部１２２と対向した位置にあるとき、使用者は、透過部材１の前面から凹部１２２の底面に備える塗膜１２３の色である青色の光を視認することができる。したがって、使用者は、透過部材１を介して青色を視認したときだけ回動つまみ部３を軸方向へ押圧することによって、入力部２、スイッチおよびボリウム部４、出力部７及び増幅部８への電源部１１からの電力の供給を、オン・オフすることが可能となる。
【００４２】
例えば、回動つまみ部３を回動させて凸部１０１が円筒部１２の凹部１２２と対向する位置が、スイッチおよびボリウム部４の最大抵抗値となるように予め設定しておく。これにより、本実施例のオーディオ信号増幅装置６は、回動つまみ部３を回動させて、増幅部８から出力されたオーディオ信号のレベルが最小のレベルとなったときのみ電源部１１からの電力の供給を可能とし、回動つまみ部３の位置が前述した以外の位置のときは回動つまみ部３を押圧しても電源部１１からの電力の供給を禁止することができる。
【００４３】
本実施例のオーディオ信号増幅装置６は、透過部材１の凸部１０１が円筒部１２の凹部１２２と対向する位置以外であって、回動つまみ部３を押圧してもシャフト４０１が軸方向へ移動しないときは、円筒部１２の表面色である赤色が透過部材１を介して視認できることにより、使用者に回動つまみ部３を押圧しても電源のオン・オフが行えないことを認識させることができる。また、オーディオ信号増幅装置６は、透過部材１の凸部１０１が円筒部１２の凹部１２２と対向する位置であって、回動つまみ部３を押圧することによりシャフト４０１が軸方向へ移動可能であるときは、塗膜１２３の色である青色が透過部材１を介して視認できることにより、使用者に回動つまみ部３を押圧することによって電源のオン・オフが行えることを認識させることができる。
【００４４】
この構成により、回動つまみ部３を押圧しても、シャフト４０１が軸方向に移動しないにも拘わらず、回動つまみ部３を押圧する押圧力が足りないのだと誤認識し、無理に高い押圧力で回動つまみ部３を押圧してしまい、回動つまみ部３を破壊してしまうことを防止することができる。
【００４５】
本実施例のオーディオ信号増幅装置は、円筒部１２の表面色を赤色とし、凹部１２２の底面に青色の塗料を施した塗膜１２３を備える構成としたが、例えば、円筒部１２の表面の色を黒色とし、凹部１２２の底面に光を発光する発光ダイオードを備える構成とし、回動つまみ部３を押圧することによって電源のオン・オフが行えるときのみ透過部材１から光が透過する構成としても良い。このことにより、回動つまみ部３を押圧することで電源のオン・オフが可能か否かを、使用者に正確に認識させることができる。
【００４６】
【発明の効果】
本発明によれば、回動つまみを回動させることにより信号レベルを変化させ、当該回動つまみ部を押圧することによって電源をオン・オフする電子機器において、予め定めた信号レベルの位置においてのみ電源のオン・オフを可能とする電子機器を提供することができる。
また、回動つまみ部を押圧することで電源のオン・オフが可能か否かを、正確に認識させることができる。
【図面の簡単な説明】
【図１】本発明の電子機器の一実施例の構成を示すブロック図。
【図２】本発明の一実施例のオーディオ信号増幅装置の概略構成を示す斜視図。
【図３】本発明の一実施例のオーディオ信号増幅装置の回動つまみ部を示す図であり、図３（ａ）は回動つまみ部の背面図、図３（ｂ）は図３（ａ）のＢ−Ｂ断面図。
【図４】本発明の一実施例のオーディオ信号増幅装置の円筒部を示す図であり、図４（ａ）は正面図、図４（ｂ）は図４（ａ）のＣ−Ｃ断面図。
【図５】本発明の一実施例の回動つまみ部、スイッチおよびボリウム部並びに円筒部との組み付けを示す模式図で、図５（ａ）は正面図、図５（ｂ）は図５（ａ）のＤ−Ｄ断面図。
【図６】図５に示す状態から回動つまみ部を回動し、凸部が円筒部の凹部と対向する位置とした状態を示す図。
【図７】従来のオーディオ信号増幅装置の回動つまみとスイッチおよびボリウム部との組み付けを示す図で、図７（ａ）は正面図、図７（ｂ）は断面図。
【符号の説明】
１　透過部材、１０１　凸部、
２　入力部、３　回動つまみ部、３０１　シャフト圧入孔、３０３　貫通孔、
４　スイッチおよびボリウム部、４０１　シャフト、
５　パネル、５０１　孔、６　オーディオ信号増幅装置、７　出力部、８　増幅部、
９　スピーカ、１０　再生装置、１１　電源部、
１２　円筒部、１２１　孔、１２２　凹部、１２３　塗料、３００　回動つまみ部
【図１】
2004119323.tif 000003
【図２】
2004119323.tif 000004
【図３】
2004119323.tif 000005
【図４】
2004119323.tif 000006
【図５】
2004119323.tif 000007
【図６】
2004119323.tif 000008
【図７】
2004119323.tif 000009